(57)【特許請求の範囲】
【請求項１】
変圧器本体（２）及び該変圧器本体上部に備えた蓋部材（４）を有する変圧器（１）を、吊下げ用ベルト（６）を用いて吊下げる変圧器吊下げ装置であって、
前記変圧器本体（２）の上部外周に径方向に対向して設けられ、前記吊下げ用ベルト（６）を掛ける部分（２５）を有する複数の受け部材（１２）と、
前記蓋部材（４）の上面外周における前記受け部材（１２）に対応する位置に置かれ、前記受け部材（１２）に夫々接合可能な複数の抑え部材（１４）と、
細長い金属板をＵ字形に折り曲げて該Ｕ字形の中心部を挟む両側部（５１ａ，５１ｂ）の中間を内側に屈曲した突出部（５３ａ，５３ｂ）を有するクリップ部材（１７）とを備え、
前記クリップ部材（１７）は、前記吊下げ用ベルト（６）を掛けた前記受け部材（１２）の部分（２５）を前記両側部（５１ａ，５１ｂ）が挟み込むように、前記受け部材（１２）に横方向から差し込まれることを特徴とする変圧器吊下げ装置。
【請求項２】
請求項１記載の変圧器吊下げ装置において、
前記クリップ部材（１７）は、前記中心部の内側に磁石部材（５７）を有することを特徴とする変圧器吊下げ装置。
【請求項３】
請求項１又は２に記載の変圧器吊下げ装置において、
前記クリップ部材（１７）は落下防止用紐（５９）を備えたことを特徴とする変圧器吊下げ装置。
【請求項４】
変圧器本体（２）及び該変圧器本体上部に備えた蓋部材（４）を有する変圧器（１）を、吊下げ用ベルト（６）を用いて吊下げ設置する変圧器吊下げ設置方法であって、
前記変圧器本体（２）の上部外周に径方向に対向して設けられた複数の受け部材（１２）に、前記蓋部材（４）の上面外周における前記受け部材（１２）に夫々対応する位置に置かれた複数の抑え部材（１４）を接合し、
前記吊下げ用ベルト（６）の両端に設けられたリング部（６ａ，６ｂ）を前記受け部材（１２）に掛け、
前記受け部材（１２）に対し、細長い金属板をＵ字形に折り曲げて該Ｕ字形の中心部を挟む両側部（５１ａ，５１ｂ）の中間を内側に屈曲した突出部（５３ａ，５３ｂ）を有するクリップ部材（１７）を、その両側部（５１ａ，５１ｂ）が、前記吊下げ用ベルト（６）のリング部（６ａ，６ｂ）を掛けた前記受け部材（１２）の部分（２５）を挟み込むように、横方向から差し込み、
前記吊下げ用ベルト（６）により前記変圧器（１）を吊下げて所定位置に設置する
ことを特徴とする変圧器吊下げ設置方法。
【請求項５】
請求項４記載の変圧器吊下げ設置方法において、
前記クリップ部材（１７）は、前記中心部の内側に磁石部材（５７）を有することを特徴とする変圧器吊下げ設置方法。
【請求項６】
請求項４又は５に記載の変圧器吊下げ設置方法において、
前記クリップ部材（１７）は落下防止用紐（５９）を備えたことを特徴とする変圧器吊下げ設置方法。
【発明の詳細な説明】
【技術分野】
【０００１】
本発明は、変圧器を吊下げる装置及び変圧器を吊下げて設置する方法に関する。
【背景技術】
【０００２】
従来、変圧器や開閉器のような電気機器（以下、「変圧器」という）を設置する際には、変圧器に吊下げ用ベルトを１本乃至２本掛け、工事用車両のクレーン等のフックを吊下げ用ベルトに掛けて変圧器を吊下げて移動し、所定位置に設置している。
【０００３】
例えば、柱上に変圧器を設置する際には、両端がリング状に形成された吊下げ用ベルトを用い、吊下げ用ベルトのリング部を変圧器の受け部に掛け、更に吊下げ用ベルトが受け部から外れることを防ぐために、吊下げ用ベルトのリング部と受け部とをバインド線や絞り具等で固定している。尚、変圧器は、５ｋＶＡタイプのものが約６０ｋｇ、５０ｋＶＡタイプのものが約２６０ｋｇと夫々相当に重いものである。
【発明の開示】
【発明が解決しようとする課題】
【０００４】
しかしながら、上記のような吊下げ用ベルトを用いて変圧器を吊下げて電柱の上部に設置するときに、バインド線や絞り具等を用いて吊下げ用ベルトを固定するには、手間及び時間がかかる。また、バインド線や絞り具等を用いずに吊下げ用ベルトのみで変圧器を吊下げるのは、吊下げ用ベルトが変圧器の受け部から外れて上記のように相当に重い変圧器が落下する恐れがあり危険である。
【０００５】
本発明は、以上の状況に鑑みてなされたものであり、変圧器のような電気機器を吊下げる場合に、吊下げ用ベルトが変圧器から外れることを簡単且つ確実に防ぐための変圧器吊下げ装置、及び変圧器吊下げ装置を備えた変圧器を、吊下げ用ベルトを用いて設置する変圧器吊下げ設置方法を提供することを目的とする。
【課題を解決するための手段】
【０００６】
本発明の変圧器吊下げ装置は、変圧器本体及び該変圧器本体上部に備えた蓋部材を有する変圧器を、吊下げ用ベルトを用いて吊下げる変圧器吊下げ装置であって、
前記変圧器本体の上部外周に径方向に対向して設けられ、前記吊下げ用ベルトを掛ける部分を有する複数の受け部材と、
前記蓋部材の上面外周における前記受け部材に対応する位置に置かれ、前記受け部材に夫々接合可能な複数の抑え部材と、
細長い金属板をＵ字形に折り曲げて該Ｕ字形の中心部を挟む両側部の中間を内側に屈曲した突出部を有するクリップ部材とを備え、
前記クリップ部材は、前記吊下げ用ベルトを掛けた前記受け部材の部分を前記両側部が挟み込むように、前記受け部材に横方向から差し込まれることを特徴とする。
【０００７】
クリップ部材は、Ｕ字形の中心部の内側に磁石部材を有し、更に落下防止用紐を備えることが好ましい。
【０００８】
本発明の変圧器吊下げ設置方法は、変圧器本体及び該変圧器本体上部に備えた蓋部材を有する変圧器を、吊下げ用ベルトを用いて吊下げ設置する変圧器吊下げ設置方法であって、
前記変圧器本体の上部外周に径方向に対向して設けられた複数の受け部材に、前記蓋部材の上面外周における前記受け部材に夫々対応する位置に置かれた複数の抑え部材を接合し、
前記吊下げ用ベルトの両端に設けられたリング部を前記受け部材に掛け、
前記受け部材に対し、細長い金属板をＵ字形に折り曲げて該Ｕ字形の中心部を挟む両側部の中間を内側に屈曲した突出部を有するクリップ部材を、その両側部が、前記吊下げ用ベルトのリング部を掛けた前記受け部材の部分を挟み込むように、横方向から差し込み、
前記吊下げ用ベルトにより前記変圧器を吊下げて所定位置に設置することを特徴とする。
【０００９】
クリップ部材は、前記Ｕ字形の中心部の内側に磁石部材を有し、落下防止用紐を備えることが好ましい。
【発明の効果】
【００１０】
本発明の変圧器吊下げ装置によれば、クリップ部材が、細長い金属板をＵ字形に折り曲げて該Ｕ字形の中心部を挟む両側部の中間を内側に屈曲した突出部を有するクリップ部材が、吊下げ用ベルトを掛けた受け部材の部分を前記両側部で挟み込むように、当該受け部材に対して横方向から差し込まれることで、受け部材に掛けられた吊下げ用ベルトの可動範囲を制限するから、吊下げ用ベルトが受け部材から外れることを簡単にかつ確実に防止できる。
【００１１】
クリップ部材がＵ字形の中心部の内側に磁石部材を有し、更に落下防止用紐を備えることで、クリップ部材が受け部材から脱落することを防ぎ、吊下げ用ベルトが受け部材から外れることを更に確実に防止できる。
【００１２】
本発明の方法によれば、吊下げ用ベルトのリング部が受け部材に掛かった状態で受け部材に対して、細長い金属板をＵ字形に折り曲げて該Ｕ字形の中心部を挟む両側部の中間を内側に屈曲した突出部を有するクリップ部材が、吊下げ用ベルトを掛けた受け部材の部分を前記両側部で挟み込むように、当該受け部材に対して横方向から差し込まれるので、受け部材に掛けられた吊下げ用ベルトの可動範囲が制限され、変圧器の吊下げ時に吊下げ用ベルトが受け部材から外れることを簡単にかつ確実に防止できる。
【発明を実施するための最良の形態】
【００１３】
図１に示すように、変圧器本体２及び該変圧器本体２上部に備えた蓋部材４を有する変圧器１を吊り下げる変圧器吊下げ装置は、変圧器本体２の上部外周に、径方向に対向して設けられた複数の受け部材１２と、蓋部材４の外周における受け部材に対応する位置に置かれた抑え部材１４と、吊下げ用ベルト６とを備える。
【００１４】
受け部材１２と抑え部材１４とは、固定ボルト１５及び固定用ピン１８によって接合され、これにより蓋部材４が変圧器本体２に固定されている。一般的に、受け部材１２及び抑え部材１４は、１０ｋＶＡ以下の変圧器では３組、１０ｋＶＡ以上の変圧器では４組設けられる。
【００１５】
受け部材１２は、図２に示すように、変圧器本体２の外周面上に外方に向かって突出するように変圧器本体２と一体鋳造して作られるか、或いは溶接して取付けられた、平面形状が略コ字形に屈曲した鉄板であり、２つの側面部２１ａ，２１ｂと、これら側面部２１ａ，２１ｂを下方部分において連結する連結部２２とで構成される。側面部２１ａ，２１ｂには、連結部２２の上縁部が位置する箇所に切欠き２３が、略中央に固定用ピン１８を通すための貫通孔２４が、また下部には、吊下げ用ベルト６を掛けるための円弧状の窪み部２５が設けられる。
【００１６】
抑え部材１４は、図２及び図３に示すように側面形状が略Ｌ字形に作られ、水平方向に延びた水平部３１と、鉛直方向に延びた垂直部３２とで構成される。水平部３１の上面には、固定ボルト１５を通すための貫通孔３６が設けられる。
【００１７】
クリップ部材１７は、図４に示すように、細長い金属板を略Ｕ字形に折り曲げたものであり、中心部５２と、一対の側部５１ａ，５１ｂとで構成される。各側部５１ａ，５１ｂの略中間部には、内側に山形又は円弧状に屈曲した突出部５３ａ，５３ｂが設けらる。更に、中心部５２の内側には、磁石部材５７が取付けられ、側部５１ａ，５１ｂのいずれか一方には落下防止用紐５９を結び付けるための貫通孔５８が設けられる。
【００１８】
図５に示すように、固定用ピン１８は、軸部１８ｂと、止リング２０とで構成される。軸部１８ｂは一端に頭部１８ａを、略中央に固定ボルト１５を螺着するためのねじ孔１９を有し、他端に止リング２０が螺着される。固定ボルト１５は、下部にねじが切られたねじ部１６を有する。
【００１９】
変圧器本体２に蓋部材４を接合する方法を説明する。
【００２０】
まず、受け部材１２に固定用ピン１８を取付ける。図２に示すように、受け部材１２の貫通孔２４に固定用ピン１８の軸部１８ｂを通し、軸部１８ｂの先端に止リング２０を螺着することにより、固定用ピン１８が受け部材１２に取付けられる。
【００２１】
次に、変圧器本体２の上に蓋部材４を載せ、蓋部材４の上面の受け部材１２に対応する位置に抑え部材１４を置き、抑え部材１４の水平部３１の平面部３５の裏面を蓋部材４の上面に接触させるように保持し、この状態で、抑え部材１４の貫通孔３６に固定ボルト１５を通し、そのねじ部１６を固定用ピン１８のねじ孔１９に螺着することによって、抑え部材１４を受け部材１２に取付ける。同様に、変圧器本体２に取り付けられている全ての受け部材１２について抑え部材１４を取り付けることにより、蓋部材４が変圧器本体２に固定される。
【００２２】
次に、図６を参照して、変圧器を吊下げるために用いられる吊下げ用ベルト６について説明する。
【００２３】
吊下げ用ベルト６は、丈夫な繊維材料によって断面扁平な紐状又は帯状に編まれて作られている。両端には環状になったリング部６ａ，６ｂが設けられ、補強部材７で夫々強化されている。また、図示しないが、中心部から三叉に分かれ、各端にリング部が設けられていてもよい。吊下げ用ベルト６が変圧器１を吊下げるときは、これらリング部６ａ，６ｂを受け部材１２の窪み部２５に掛ける。
【００２４】
最後に、変圧器を吊下げ用ベルトによって吊下げる方法を説明する。
【００２５】
まず、図１に示すように、両側の受け部材１２の窪み部２５に、吊下げ用ベルト６の両端のリング部６ａ，６ｂをそれぞれ掛ける。この場合に、吊下げ用ベルト６のリング部６ａ，６ｂは、受け部材１２の窪み部２５にしっかりと掛けられることが必要である。
【００２６】
次いで、クリップ部材１７を横方向から差し込んで、受け部材１２の連結部２２をクリップ部材１７の両側部５１ａ，５１ｂが挟み込むように奥の方にまで差し込む。このとき、クリップ部材１７は、受け部材１２の連結部２２を側部５１ａが上から、側部５１ｂが下から挟み込む位置に取付けられる。更に、側部５１ｂが受け部材１２の窪み部２５を塞ぎ、かつ中心部５２の内側に設けられた磁石部材５７が連結部２２に磁着する位置まで奥に押し込まれる。
これにより、クリップ部材１７は、その弾性力によって側部５１ａが受け部材１２の連結部２２の上縁部を下方向に押圧し、側部５１ｂが受け部材１２の連結部２２の下縁部及び受け部材１２の下面を上方向に押圧するので、クリップ部材１７はその取付け位置から外れることが抑制される。
更に図３に示すように、クリップ部材１７の中心部５２の内側に設けられた磁石部材５７が受け部材１２の連結部２２に吸着するので、クリップ部材１７は、その取付け位置から外れないように一層抑制される。
そして、このようにクリップ部材１７を受け部材１２に取付けることにより、受け部材１２の窪み部２５がクリップ部材１７の側部５１ｂによって塞がれるので、吊下げ用ベルト６のリング部６ａ，６ｂは可動範囲が窪み部２５内に限定され、外れなくなる。更に、落下防止用紐５９が取付けられているので、落として紛失する恐れもない。
【００２７】
最後に、吊下げ用ベルト６の略中間部をクレーンのフック８によって吊下げ、所定の場所に変圧器１を設置する。
【００２８】
以上の作用により、変圧器１の受け部材１２に掛けられた吊下げ用ベルト６が外れることを簡単にかつ確実に防止することができる。しかも、変圧器１の受け部材１２に掛けられた吊下げ用ベルト６のリング部６ａ，６ｂに、クリップ部材１７を差し込んで取付けるだけの簡単な作業であり、作業者の習熟を必要としない。
【００２９】
なお、変圧器本体２に受け部材１２が４つある場合は、残りの２の受け部材１２にも同様に抑え部材１４を取り付け、受け部材１２に２本目の吊下げ用ベルトを先のベルトと交差する方向に取付けて、これら２本の吊下げ用ベルト６の交差する部分を、クレーンのフック８に掛けてクレーンによって変圧器１を吊下げ、電柱の上部の所定の位置に設置することができる。
【００３０】
以上、一実施形態について説明したが、本発明は、これに限定されるものではなく、種々の変形及び変更がなし得るものである。
【図面の簡単な説明】
【００３１】
【図１】変圧器に吊下げ用ベルトを掛けた状態を示す正面図である。
【図２】図１の変圧器の受け部材及び抑え部材を示す分解図である。
【図３】図３の受け部材及び抑え部材を示す側面図である。
【図４】実施例のクリップ部材を示す斜視図である。
【図５】実施例の固定ボルトと固定用ピンとを示す斜視図である。
【図６】実施例の吊下げベルトを示す正面図である。
【符号の説明】
【００３２】
１…変圧器、２…変圧器本体、４…蓋部材、６…吊下げ用ベルト、６ａ，６ｂ…リング部、８…フック、１２…受け部材、１４…抑え部材、１５…固定ボルト、１６…ねじ部、１７…クリップ部材、１８…固定用ピン、１９…ねじ孔、２０…止リング、２１ａ，２１ｂ…側面部、２２…連結部、２３…切欠き、２４…貫通孔、２５…窪み部、３１…平部、３２…垂直部、３３ａ，３３ｂ…側面部、３４…正面部、３５…平面部、３６…貫通孔、５１ａ，５１ｂ…側部、５２…中心部、５３ａ，５３ｂ…突出部、５８…貫通孔、５７…磁石部材、５９…落下防止用紐。
【図１】
0004771853.tif 000002
【図２】
0004771853.tif 000003
【図３】
0004771853.tif 000004
【図４】
0004771853.tif 000005
【図５】
0004771853.tif 000006
【図６】
0004771853.tif 000007